【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
送信システムから受信システムへ複数のファイルセグメントからなるファイルの一部を送信するステップであって、前記複数のファイルセグメントの各々の伝送後に生じる可変の待機期間だけ間隔を空けた複数の伝送によって前記ファイルセグメントを送信することを含むステップと、
前記複数のファイルセグメントの選択された１つが前記送信システムから前記受信システムへ送信された実転送速度を決定するステップと、
前記選択されたファイルセグメント伝送に関して決定された実転送速度に一部基づき、前記可変の待機期間を決定するステップと、
を含むことを特徴とする方法。
【請求項２】
前記可変の待機期間は、前記送信システムから前記受信システムへの前記複数のファイルセグメントのうちの最初のファイルセグメントの前記送信に続いて、前記複数のファイルセグメントの各々に関して決定されることを特徴とする請求項１に記載の方法。
【請求項３】
前記複数のファイルセグメントの特定の１つに関する前記可変の待機期間は、前記複数のファイルセグメントの先行する１つの前記ファイルセグメント伝送に関して決定された前記実転送速度に一部基づき決定されることを特徴とする請求項１に記載の方法。
【請求項４】
前記選択されたファイルセグメントは、前記複数のファイルセグメントの最初のファイルセグメントであることを特徴とする請求項１に記載の方法。
【請求項５】
前記実転送速度は、前記送信システムから前記受信システムへ送信された前記複数のファイルセグメントの各々に関して決定されることを特徴とする請求項１に記載の方法。
【請求項６】
前記可変の待機期間は、先行するファイルセグメントの前記実転送速度に基づき、前記複数のファイルセグメントの各々の後に決定されることを特徴とする請求項５に記載の方法。
【請求項７】
前記可変の待機期間を、ネットワーク混雑測定に一部基づき決定することを特徴とする請求項１に記載の方法。
【請求項８】
前記複数のファイルセグメントの各々のサイズは実質的に等しいことを特徴とする請求項１に記載の方法。
【請求項９】
前記複数のファイルセグメントの各々のサイズは異なることを特徴とする請求項１に記載の方法。
【請求項１０】
送信システムから受信システムへ複数のファイルセグメントからなるデータファイルを通信ネットワークを介して送信する方法であって、
前記複数のファイルセグメントの各々の伝送後に生じる可変の待機期間だけ間隔を空けた前記複数のファイルセグメントの各々の伝送によって前記複数のファイルセグメントを前記通信ネットワークを介して送信するステップと、
前記通信ネットワーク上のネットワーク混雑を検知するステップと、
前記検知されたネットワーク混雑に基づき前記待機期間を調整するステップと、
を含み、
前記検知されたネットワーク混雑が増大する場合に前記待機期間を増加させることを特徴とする方法。
【請求項１１】
混雑を検知するステップは、
前記複数のファイルセグメントの選択された１つが前記送信システムから前記受信システムへ送信された実転送速度を決定するステップと、
前記選択されたファイルセグメント伝送に関して決定された実転送速度に一部基づき、前記可変の待機期間を決定するステップと、
を含むことを特徴とする請求項１０に記載の方法。
【請求項１２】
混雑を検知するステップは、
前記通信ネットワークに関する最高転送速度を決定するステップと、
前記複数のファイルセグメントの選択された１つが前記送信システムから前記受信システムへと送信された実転送速度を決定するステップと、
前記選択されたファイルセグメント伝送に関して決定された実転送速度に一部基づき、前記可変の待機期間を決定するステップと、
を含むことを特徴とする請求項１０に記載の方法。
【請求項１３】
前記複数のファイルセグメントを送信するステップは、
初期的に前記通信ネットワークに関する最高転送速度に基づき、前記待機期間だけ間隔を空けて前記複数のファイルセグメントを送信するステップを含むことを特徴とする請求項１０に記載の方法。
【請求項１４】
送信システムから受信システムへ複数のファイルセグメントからなるファイルの一部を送信する方法であって、
各伝送後に生じる様々な複数の待機期間の１つの時間だけ間隔を空けた複数の伝送によって前記ファイルセグメントを１つずつ送信することを含むステップと、
各ファイルセグメント伝送に関して、前記ファイルセグメントが前記送信システムから前記受信システムへ送信された実転送速度を決定するステップと、
先行するファイルセグメント伝送を有する各ファイルセグメント伝送に関して、前記先行するファイルセグメント伝送の実転送速度に一部基づき、前記ファイルセグメント伝送で送信されるべきファイルセグメントのサイズを決定するステップと、
を含むことを特徴とする方法。
【請求項１５】
複数のファイルセグメントからなるデータファイルを受信コンピュータシステムへ伝送するシステムであって、
前記受信コンピュータシステムへ伝送されるべき前記データファイルを記憶するように構成されたデータ記憶要素と、
送信コンピュータシステムに接続され、前記受信システムへ前記複数のデータファイルセグメントを通信ネットワークを介して伝送するように構成されたネットワークインターフェースと、
前記複数のファイルセグメントの前記通信ネットワークを介した前記受信システムへの伝送を制御するように構成され、前記複数のファイルセグメントの実転送速度の指標を受信し、前記実転送速度に一部基づき、前記複数のファイルセグメントの個々の伝送間の待機期間を決定するネットワークインターフェース制御装置と、
を含むことを特徴とするシステム。
【請求項１６】
前記データ記憶要素は、前記送信コンピュータシステムの一部であることを特徴とする請求項１５に記載のシステム。
【請求項１７】
前記複数のファイルセグメントは、前記送信コンピュータシステムから前記受信コンピュータシステムへの伝送時間を示す時間データを含み、
前記複数のファイルセグメントの前記実転送速度の指標は、前記受信コンピュータシステムから受信される肯定応答メッセージにおいて、前記ネットワークインターフェース制御装置によって受信されることを特徴とする請求項１５に記載のシステム。
【請求項１８】
前記ネットワークインターフェース制御装置は、前記通信ネットワークに関する最高転送速度に基づき前記待機期間を決定するように初期的に構成されることを特徴とする請求項１５に記載のシステム。
【請求項１９】
前記ネットワークインターフェース制御装置は、前記通信ネットワーク上のネットワーク混雑が増大する場合に前記待機期間を増加させることを特徴とする請求項１８に記載のシステム。
【請求項２０】
複数のファイルセグメントからなるデータファイルを受信コンピュータシステムへ伝送するシステムであって、
前記受信コンピュータシステムへ伝送されるべき前記データファイルを記憶するように構成されたデータ記憶要素と、
送信コンピュータシステムに接続され、前記受信システムへ前記複数のデータファイルセグメントを通信ネットワークを介して伝送するように構成されたネットワークインターフェースと、
前記通信ネットワーク上の混雑を検知し、その指標を提供するように構成された混雑検知エージェントと、
前記複数のファイルセグメントの前記通信ネットワークを介した前記受信システムへの伝送を制御するように構成され、前記複数のファイルセグメントの実転送速度の指標を受信し、前記実転送速度に一部基づき、前記複数のファイルセグメントの個々の伝送間の待機期間を決定するネットワークインターフェース制御装置と、
を含むことを特徴とするシステム。
【請求項２１】
前記ネットワークインターフェース制御装置は、前記通信ネットワークに関する最高転送速度に基づき、前記可変の待機期間だけ間隔を空けて前記複数のファイルセグメントを初期的に伝送することを特徴とする請求項２０に記載のシステム。
【請求項２２】
前記ネットワークインターフェース制御装置は、ネットワーク混雑の指標が、前記通信ネットワーク上の混雑を示す場合に前記待機期間を増加させることを特徴とする請求項２０に記載のシステム。